(57)【要約】【技術課題】  施工がしやすく、地震に強い上下水道配管路の中継用ブロックを提供する。【解決手段】  平面四角形又は円形から成る上下水道配管路の中継用コンクリートブロックにおいて、このブロック本体１は、前記上下水道配管１４の中心となる位置で上下に二分割されている。この二分割された下部ブロック２及び上部ブロック８同士の接合部分には、上向き及び下向きの半円形又はコ字状の管口５、１０が形成されている。前記上下に二分割されたブロック２、８のうち、下部ブロック２には、底板３が一体に、形成されている。このように、ブロック本体１は管口の中心で上下に分割されているため、特に下部ブロック２側の重量が多大して施工性が悪化するのを防止することができる。またブロックと上下水道管１４を弾性金物９０で連結することにより、地震に強いブロックと管の連結構造となる。【選択図】        図  １
2005188217.tif 000002
【特許請求の範囲】
【請求項１】
平面四角形又は円形から成る上下水道配管路の中継用コンクリートブロックにおいて、このブロック本体は、前記上下水道配管の中心となる位置で上下に二分割されていること、この二分割された下部ブロック及び上部ブロック同士の接合部分には、上向き及び下向きの半円形又はコ字状の管口が形成されていること、前記上下に二分割されたブロックのうち、下部ブロックには、底板が一体に、又は別体で底板ブロックが取り付けられていること、を特徴とする上下水道配管路の中継用コンクリートブロック。
【請求項２】
下部ブロックと上部ブロック及び下部ブロックと底板ブロックとの接合面には、嵌合手段が設けられていること、を特徴とする請求項１に記載の上下水道配管路の中継用コンクリートブロック。
【請求項３】
下部ブロックと上部ブロック及び下部ブロックと底板ブロックの接合部分に形成された嵌合手段部分にはシール材が取り付けられていること、を特徴とする請求項１又は２に記載の上下水道配管路の中継用コンクリートブロック。
【請求項４】
管口は、ブロック本体の周囲において、複数箇所に形成されていること、を特徴とする請求項１〜３の何れか１項に記載の上下水道配管路の中継用コンクリートブロック。
【請求項５】
管口の周囲の壁に配管の先端を当接し、この配管の先端とブロック間を弾性金物で連結し、地震時の応力を前記弾性金物で吸収するように構成して成ること、を特徴とする請求項１に記載の上下水道配管路の中継用コンクリートブロック。
【発明の詳細な説明】
【技術分野】
【０００１】
本発明は、地中に埋設された上下水道配管路において、その中継基地を設ける時に用いられるコンクリートブロックに関する。
【背景技術】
【０００２】
従来の中継基地用コンクリートブロックとしては、次のものが公知である。
【０００３】
【特許文献１】実開平６−６０６４２号  この文献１に記載の組立式の箱型マンホールは、積み重ね接合する２個のコンクリート製角筒形ブロックの側壁に跨って流水管の接続溝を突合わせ可能に設けてなるコンクリート製の組立式マンホールにおいて、有底箱形の基礎ブロックを含む２個の積み重ねブロックの側壁に一方を深形、他方を浅形とし、且つ深形浅形割合を大小した多種の下半接続溝と上半接続溝を各別に相対形成し、該深形にて形成する下半または上半接続溝を半円形部分と該半円形部分の両端より平行して伸びる同幅構成用の垂直面にて形成したことを特徴とするものである。
【０００４】
しかし、このブロックは、基礎ブロック側の接続溝を深く形成し、上半側のブロックの溝を浅く形成しているため、次のような欠点がある。
１．施工した後に、上半側のブロックに応力が作用した場合に、溝が浅いために、管との
係合力は弱く、特に地震時にズレ易い。
２．基礎ブロック側は、溝を深く形成し、更にこの溝に垂直の立ち上げ面を形成している
ため、側壁が高くなり、更に基礎ブロック側には底も一体化してあることから、総重量
が重くなり、運搬や施工時に不便である。
【発明の開示】
【発明が解決しようとする課題】
【０００５】
本発明の目的は、地震に対する耐力が大きく、施工しやすい上下水道配管路の中継用コンクリートブロックを提供することである。
【課題を解決するための手段】
【０００６】
上記目的を達成するため、請求項１に記載の発明においては、平面四角形又は円形から成る上下水道配管中継用コンクリートブロックにおいて、このブロック本体は、前記上下水道配管の中心となる位置で上下に二分割されていること、この二分割された下部ブロック及び上部ブロック同士の接合部分には、上向き及び下向きの半円形又はコ字状の管口が形成されていること、前記上下に二分割されたブロックのうち、下部ブロックには、底板が一体に、又は別体で底板ブロックが取り付けられていること、を特徴とするものである。
【０００７】
更に、請求項２に記載の発明においては、請求項１に記載の発明において、下部ブロックと上部ブロック及び下部ブロックと底板ブロックとの接合面には、嵌合手段が設けられていること、を特徴とするものである。
【０００８】
更に、請求項３に記載の発明においては、請求項１又は２に記載の発明において、下部ブロックと上部ブロック及び下部ブロックと底板ブロックの接合部分に形成された嵌合手段部分にはシール材が取り付けられていること、を特徴とするものである。
【０００９】
更に、請求項４に記載の発明においては、請求項１〜３の何れか１項に記載の発明において、管口は、ブロック本体の周囲において複数箇所に形成されていること、を特徴とするものである。
【００１０】
更に、請求項５に記載の発明においては、請求項１に記載の発明において、管口の周囲の壁に配管の先端を当接し、この配管の先端とブロック間を弾性金物で連結し、地震時の応力を前記弾性金物で吸収するように構成して成ること、を特徴とするものである。
【発明の効果】
【００１１】
本発明は以上のとおり、下部ブロックと上部ブロックに対し、半円形又はコ字状の管口を形成したことにより、ブロックに夫々外力が作用した場合、応力が上下でバランスし、従来のように浅い溝の上部ブロックだけがズレたりしない。
また、特に下部ブロック側が大きな重量になることもないと共に、管口及び上下のブロックの嵌合手段部分にはシール材を充填したことにより、水密性能を高めることができる。
また、ブロックの管口に配管を当接し、双方を弾性金物で連結したことにより、荷重をこの弾性金物で吸収するため、地震に対する耐力が向上する。
【実施例１】
【００１２】
図１〜図３に基づいて、請求項１〜４に記載したの発明の実施例を詳細に説明する。図１は中継用コンクリートブロック本体を上部ブロックと下部ブロックに分割し、これに上下水道配管を臨ませた状態の説明図、図２は施工状態の説明図、図３はＡ−Ａ´方向から見たブロック本体と配管の説明図である。
上記各図において、符号の１は中継用コンクリートブロック本体であって、このブロック本体１は、枡状の下部ブロック２と、この下部ブロック２上に積み重ねて使用される上部ブロック８から成る。更に下部ブロック２について説明すると、この下部ブロック２は、底板３と側壁４で囲まれ、上方を開放した枡状を呈している。そして、この下部ブロック２の側壁４であって、対向する面の上縁４ａの中央には、上向き半円溝（管口）５が形成されていると共にこの上向き半円溝５の内側の輪部に沿って、シール材充填溝６が形成されている。但し、この溝６は、上向き半円溝５において、側壁４の外面側に形成しても良い。７は側壁４の上縁４ａに沿って形成された上部ブロックの下縁が嵌合する嵌合段部である。
次に、前記下部ブロック２上に重ねて施工される上部ブロック８について説明する。この上部ブロック８は、その側壁９の下縁９ａであって、前記下部ブロック２の上向き半円溝５と対向する部分には、下向き半円溝（管口）１０が形成されていると共に、前記下部ブロック２の嵌合段部７に嵌合する嵌合１１が側壁９の下縁９ａに沿って形成されている。
【００１３】
１２は前記下向き半円溝１０の内側に沿って形成されたシール材充填溝である。
１３は、前記上部ブロック８の側壁９の上縁９ｂに沿って形成された嵌合段部であって、中段のブロックをこの嵌合段部１３上に積み重ねることができる。１４は上下水道用配管である。
図２、図３は施工した状態を示すもので、地中に開削した施工穴内の底に砂利１８を敷き、この上に打ち込んだ基礎コンクリート１９上に下部ブロック２を置く。その上で、上下水道配管１４の先端部１５を上向き半円溝５に嵌合し、次に上部ブロック８の下向き半円溝１０を上下水道配管１４の先端部１５上に合わせて下部ブロック２上に上部ブロック８を積み重ねる。その上で、段部６、７にモルタル等のシール材１６を充填することにより半円溝５、１０と上下水道配管１４の先端部１５間のシールを行ない、上部ブロック８の上には更に中間ブロック１７を積み重ねて地上まで立ち上げる。
なお、上記実施例の下部ブロック２は、底板３が一体成形されているが、この底板３は、下部ブロック２とは別に成形し、先ず底板３を基礎コンクリート１９に置き、その上に下部ブロック２を載置して施工するようにしても良い。
【実施例２】
【００１４】
本実施例２のブロックは、図４に示すように、上下水道配管１４が四角形のときに、下部ブロック２と上部ブロック８に形成した管口をコ字状に形成した例である。図４において、実施例１の説明に使用した符号と同一の符号は、上記管口の形状及び配管１４の形状を除いて同一の個所と同一の構造部分を指し示しているので、詳しい説明は省略する。なお、本実施例においても、下部ブロック２と底板３は一体成形されているが、別々に成形してもよい。
【実施例３】
【００１５】
本実施例３は、請求項５に記載の発明に対応するもので、ブロック本体１は、底板ブロック３０、四角枠状下部ブロック４０、四角枠状上部ブロック５０、天蓋ブロック６０から成り、下部ブロック４０と上部ブロック５０の合わせ目となる部分には、配管の継ぎ口と成る夫々同一形状、大きさの上向きのコ字状の溝４１と下向きのコ字状溝５１が夫々形成されている。したがって、本実施例においては、上下水道配管（図示せず）側もこの配管継ぎ口と同一形状の四角形のものである。但し、上下水道配管の開先部分は、前記配管継ぎ口と内側の穴の形状及び大きさは同じであるが、外形は肉厚分大きい。下部ブロック４０に形成した円形の穴は、分岐口４３であって、この分岐口４３には分岐管（図示せず）が接続される。
上記構成のブロックにおいて、底板ブロック３０の上面には、下部ブロック４０の下端面が当るパッキン３１が取り付けられ、下部ブロック４０の上端面には、上部ブロック５０の下端面が当るパッキン４２が取り付けられ、上部ブロック５０の上端面には、パッキン５１が取り付けられていて、天蓋ブロック６０を含めて全てのブロックを重ねた時に、これらパッキン３１、４２、５１で水密が図られる。
なお、上記構成において、中継ブロックを深いものとする場合には、必要に応じて上部ブロック５０の上に、溝５１のない上部ブロック５０と同一形状のブロックが積み重ねられ、その上に天蓋ブロック６０が載せられる。７０は各ブロックの合わせ目に形成されたジョイント孔、７１はこのジョイント孔７０に挿入されるジョイント部材である。
【００１６】
図５において、８０は各ブロック３０、４０、５０、６０を重ねた上で、これらのブロックを連結する金具であって、互いの金具同士をボルトで緊締することにより固定される。又、図５において、６１はマンホールである。９０はブロック本体（下部ブロック４０、上部ブロック５０）と上下水道配管１４を連結するための波状弾性金物であって、この金物９０は、図６に示す連結構造により、ブロック本体１に配管１４を連結するものである。具体的には、上部及び下部ブロック４０、５０の溝４１、５１の内面には、段部４５、５５が夫々対向するようにして形成してあり、この段部にはボルト４６、５６が植立するようにして取り付けられている。波形の弾性金物９０の両端には、ボルト孔９１が設けてあり、上下水道配管１４の先端１５を通水口（溝４１、５１）の周囲の外面に当接し、ブロック側に形成した段部４５と上下水道配管１４の先端１５間に波形の弾性金物９０を渡し、ブロックの段部４５、５５に植設したボルト４６、５６に金物９０の両端の孔９１を通し、その上にワッシャ９２を載せ、ナット９３で緊締することにより、ブロックに上下水道配管１４を連結固定するもので（図６参照）、この接続は、地震時に金物９０がブロック側と配管１４側のズレを吸収するため、通常であると、この接合部分にクラック等が入るが、これを防止することができる。
なお、この金物９０の取り付け位置は、上下２ヶ所が原則であるが、それ以上、必要に応じて取り付けてブロックと配管１４を固定するようにしても良い。
【図面の簡単な説明】
【００１７】
【図１】本発明に係るブロックの説明図。
【図２】施工状態の説明図。
【図３】Ａ−Ａ´線断面図。
【図４】実施例２の説明図。
【図５】実施例３のブロックの説明図。
【図６】弾性金物とこの連結構造の説明図。
【符号の説明】
【００１８】
１  ブロック本体
２  下部ブロック
３  底板
４  側壁
５  上向き半円溝
８  上部ブロック
１０  下向き半円溝
１４  下水道配管
【図１】
2005188217.tif 000003
【図２】
2005188217.tif 000004
【図３】
2005188217.tif 000005
【図４】
2005188217.tif 000006
【図５】
2005188217.tif 000007
【図６】
2005188217.tif 000008